(57)【要約】  内部に格子状超弾性合金構造物および／または環状超弾性合金構造物を含むフレキシブルディスプレイ用ポリマー基板が開示される。このポリマー基板は、内部に超弾性合金構造物が埋め込まれているため、増大した柔軟性を有する。
2010537259.tif 000002
【特許請求の範囲】
【請求項１】
フレキシブルディスプレイ用ポリマー基板であって、
内部に格子状超弾性合金構造物を含むことを特徴とする、柔軟性が増大したフレキシブルディスプレイ用ポリマー基板。
【請求項２】
フレキシブルディスプレイ用ポリマー基板であって、
内部に環状超弾性合金構造物を含むことを特徴とする、柔軟性が増大したフレキシブルディスプレイ用ポリマー基板。
【請求項３】
フレキシブルディスプレイ用ポリマー基板であって、
内部には格子状超弾性合金構造物および環状超弾性合金構造物が積層および埋め込みされていることを特徴とする、柔軟性が増大したフレキシブルディスプレイ用ポリマー基板。
【請求項４】
前記ポリマー基板は、
ポリエチレンナフタレート（ＰＥＮ）、ポリカーボネート（ＰＣ）およびポリエチレンテレフタレート（ＰＥＴ）よりなる群から選ばれたいずれか一つで形成されることを特徴とする、請求項１、請求項２または請求項３に記載の柔軟性が増大したフレキシブルディスプレイ用ポリマー基板。
【請求項５】
前記格子状超弾性合金構造物は、外周縁にフレームを形成することを特徴とする、請求項１に記載の柔軟性が増大したフレキシブルディスプレイ用ポリマー基板。
【請求項６】
前記格子状超弾性合金構造物は、Ｎｉ−Ｔｉ、Ｎｉ−Ａｌ、Ｃｕ−Ｚｎ−Ｎｉ、Ｃｕ−Ａｌ−Ｎｉ、Ｃｕ−Ａｌ−Ｍｎ、Ｔｉ−Ｎｉ−Ｃｕ−Ｍｏ、Ｃｏ−Ｎｉ−Ｇａ：Ｆｅ、Ａｇ−Ｎｉ、Ａｕ−Ｃｄ、Ｆｅ−Ｐｔ、Ｆｅ−Ｎｉ、およびＩｎ−Ｃｄよりなる群から選ばれたいずれか一つで形成されることを特徴とする、請求項１、請求項３または請求項５に記載の柔軟性が増大したフレキシブルディスプレイ用ポリマー基板。
【請求項７】
前記環状超弾性合金構造物は、Ｎｉ−Ｔｉ、Ｎｉ−Ａｌ、Ｃｕ−Ｚｎ−Ｎｉ、Ｃｕ−Ａｌ−Ｎｉ、Ｃｕ−Ａｌ−Ｍｎ、Ｔｉ−Ｎｉ−Ｃｕ−Ｍｏ、Ｃｏ−Ｎｉ−Ｇａ：Ｆｅ、Ａｇ−Ｎｉ、Ａｕ−Ｃｄ、Ｆｅ−Ｐｔ、Ｆｅ−Ｎｉ、およびＩｎ−Ｃｄよりなる群から選ばれたいずれか一つで形成されることを特徴とする、請求項２または請求項３に記載の柔軟性が増大したフレキシブルディスプレイ用ポリマー基板。
【請求項８】
フレキシブルディスプレイ装置において、
請求項１〜３のいずれか一項に記載のポリマー基板を含むことを特徴とする、フレキシブルディスプレイ装置。
【発明の詳細な説明】
【技術分野】
【０００１】
本発明は、フレキシブルディスプレイ用ポリマー基板に「格子状超弾性合金構造物」および／または「環状超弾性合金構造物」を埋め込むことにより、柔軟性を増大させた技術に関する。
【背景技術】
【０００２】
最近、軽薄短小の特徴と柔軟性を兼備したフレキシブルディスプレイ装置に関する研究が盛んに行われている。
【０００３】
既存のディスプレイ装置に用いられるガラス基板は、最大限薄く加工するとしても、０．４〜０．５mm程度の厚さが限界であるが、これに対し、フレキシブルディスプレイ用ポリマー基板は、その厚さが０．１〜０．２ｍｍ程度である。また、ポリマー基板は、ガラス基板に比べて１／５以下の重量であって、ガラス基板より一層軽い。
【０００４】
それだけでなく、ポリマー基板は、耐久性がガラス基板に比べて著しく高い。一方、製造工程の観点からすれば、ガラス基板を採用するディスプレイ装置は１枚ずつ順次加工されるバッチ工程(batch  process)方式であるが、これに対し、ポリマー基板を採用するフレキシブルディスプレイ装置はロールツロール(Roll-to-Roll)工程によって量産可能である。
【０００５】
次に、このような特徴を持つフレキシブルディスプレイ装置の構造について概略的に説明する。
【０００６】
図１を参照すると、フレキシブルディスプレイ装置は、ポリマー基板１０と、ポリマー基板上に形成される素子部２０に区分される。素子部２０には、ディスプレイ単位素子が実現できる。素子部２０は、機能の観点からみれば、映像を出力する出力層２２と、前記出力層を駆動する駆動層２４に分けられる。
【０００７】
このような構造のフレキシブルディスプレイ装置に外部撓み変形力（ディスプレイ装置を任意の曲率で変形させる力）が加えられると、素子部を含んだポリマー基板が弾性変形する。もし外部撓み変形力がポリマー基板の弾性限界(elastic  limit)以内で印加されると、印加された外部撓み変形力が除去されると同時に元の状態に復元する。ところが、外部撓み変形力が弾性限界を超過する場合、ポリマー基板は復元せず、塑性変形する。
【０００８】
周知の如く、ポリマー基板の弾性限界は前述した柔軟性を左右する。特に、巻物のように巻き取られる電子ペーパー(E-paper)などのフレキシブルディスプレイ装置は、高い柔軟性を確保しなければならない。
【発明の概要】
【発明が解決しようとする課題】
【０００９】
そこで、本発明は、上述した従来の技術の問題点に鑑みてなされたもので、フレキシブルディスプレイ用ポリマー基板の柔軟性を増大させることが可能な方法、およびその方法によって製造されたポリマー基板構造を提供する。
【課題を解決するための手段】
【００１０】
本発明のある観点によれば、ポリマー基板の内部に格子状超弾性合金構造物または環状超弾性合金構造物を埋め込み、あるいはこれらの２つの構造物を共に積層し埋め込む。
【００１１】
好ましくは、本発明のポリマー基板は、ポリエチレンナフタレート（ＰＥＮ）、ポリカーボネート（ＰＣ）およびポリエチレンテレフタレート（ＰＥＴ）よりなる群から選ばれたいずれか一つで形成できる。また、本発明の超弾性合金構造物は、Ｎｉ−Ｔｉ、Ｎｉ−Ａｌ、Ｃｕ−Ｚｎ−Ｎｉ、Ｃｕ−Ａｌ−Ｎｉ、Ｃｕ−Ａｌ−Ｍｎ、Ｔｉ−Ｎｉ−Ｃｕ−Ｍｏ、Ｃｏ−Ｎｉ−Ｇａ：Ｆｅ、Ａｇ−Ｎｉ、Ａｕ−Ｃｄ、Ｆｅ−Ｐｔ、Ｆｅ−Ｎｉ、およびＩｎ−Ｃｄよりなる群から選ばれたいずれか一つで形成できる。
【図面の簡単な説明】
【００１２】
本発明の前記および他の目的、特徴および他の利点は、添付図面を参照する次の詳細な説明からさらに明確に理解されるであろう。
【図１】従来のフレキシブルディスプレイ装置を示す概略断面図である。
【図２】本発明の一実施例に係るフレキシブルディスプレイ装置を示す概略断面図である。
【図３】本発明の一実施例に係るポリマー基板を示す断面図である。
【図４Ａ】本発明の一実施例に係る格子状超弾性合金構造物を示す平面図である。
【図４Ｂ】本発明の一実施例に係る格子状超弾性合金構造物を示す平面図である。
【図４Ｃ】本発明の一実施例に係る格子状超弾性合金構造物を示す平面図である。
【図５】本発明の一実施例に係る環状超弾性合金構造物を示す平面図である。
【図６】本発明の一実施例に係るポリマー基板の柔軟性を説明するための図である。
【発明を実施するための形態】
【００１３】
本発明の前記および他の目的、特徴および他の利点は、添付図面に基づいた以降の詳細な説明からさらに明白になるであろう。これに先立ち、本発明に関連した公知の機能およびその構成に対する具体的な説明が本発明の要旨を無駄に乱すおそれがあると判断される場合には、その具体的な説明を省略したことに留意すべきであろう。
【００１４】
図２は本発明の一実施例に係るフレキシブルディスプレイ装置を示す概略断面図である。図２に示すように、フレキシブルディスプレイ装置１００は、多数のディスプレイ単位素子を含む素子部１１０、および前記素子部を支持するポリマー基板１２０を含んでなる。
【００１５】
具体的に、素子部１１０は、映像を出力する出力層１１２と、薄膜トランジスタ（ＴＦＴｓ）で実現され、出力層を駆動する駆動層１１４とに分けられる。薄膜トランジスタは、有機物(organics)、ポリマー(polymer)、非晶質シリコン(amorphous  silicon)、多結晶シリコン(polycrystalline  silicon)、および酸化物(oxide)の中から選ばれたいずれか一つで出来ている。
【００１６】
このような構成の素子部１１０は、有機発光ダイオード（ＯＬＥＤ：Organic  Light  Emitting  Diodes)、液晶ディスプレイ(ＬＣＤ：Liquid  Crystal  Display)、電子ペーパー(E-paper)、ポリシリコンＴＦＴ(poly-si  TFT)、有機ＴＦＴ(organic  TFT)などの様々なディスプレイ単位素子を構成することができる。
【００１７】
ポリマー基板１２０の材質は、ポリエチレンナフタレート（ＰＥＮ）、ポリカーボネート（ＰＣ）、およびポリエチレンテレフタレート（ＰＥＴ）よりなる群から選ばれたいずれか一つであってもよい。
【００１８】
一方、本発明の特徴に係るポリマー基板１２０は、図３に示すように、内部に格子状超弾性合金構造物１２２または環状超弾性合金構造物１２４を含む。この際、格子状超弾性合金構造物および環状超弾性合金構造物が積層できる。
【００１９】
図４Ａを参照すると、格子状超弾性合金構造物１２２は、例えば網などの格子構造を形成する。本発明の格子状超弾性合金構造物１２２は、図４Ｂに示すように、外周縁にフレームＦを構成することができる。このフレームＦの形状は、必ずしも図４Ｂに示すように長方形または正方形である必要はなく、図４Ｃに示すように様々な形状を取ってもよい。
一方、環状超弾性合金構造物１２４は、図５に示すように、閉ループを形成した長方形または正方形の形状を有し、コーナーがラウンドされた構造を取る。このような本発明の環状超弾性合金構造物１２４は、前述した形状に限定されるものではない。
【００２０】
前述した超弾性合金構造物１２２、１２４は、Ｎｉ−Ｔｉ(nitinol)、Ｎｉ−Ａｌ、Ｃｕ−Ｚｎ−Ｎｉ、Ｃｕ−Ａｌ−Ｎｉ、Ｃｕ−Ａｌ−Ｍｎ、Ｔｉ−Ｎｉ−Ｃｕ−Ｍｏ、Ｃｏ−Ｎｉ−Ｇａ：Ｆｅ、Ａｇ−Ｎｉ、Ａｕ−Ｃｄ、Ｆｅ−Ｐｔ、Ｆｅ−Ｎｉ、およびＩｎ−Ｃｄよりなる群から選ばれたいずれか一つで形成できる。
【００２１】
本発明において、超弾性合金構造物１２２、１２４の厚さを０．０１μｍ〜１，０００μｍの範囲で設定することができる。勿論、このように例示した超弾性合金構造物の厚さはポリマー基板の厚さに応じて変更・設定されるべきである。
【００２２】
ポリマー基板１２０の内部に埋め込まれた超弾性合金構造物１２２、１２４は、外部撓み変形力が印加される場合、ポリマー基板１２０と共に弾性変形し、印加された変形力が除去されると、元の状態に復元する（図６を参照）。
【００２３】
このような本発明のポリマー基板１２０は、超弾性合金構造物１２２、１２４を含むため、これを含まないポリマー基板に対して構造的堅固性を始めとした弾性限界が増大する。すなわち、ポリマー基板自体の弾性力に超弾性合金構造物による弾性力を付加することにより、柔軟性を増大または向上させる結果を得る。
【００２４】
上述したように、本発明によれば、フレキシブルディスプレイ用ポリマー基板の柔軟性の増大を図ることができる。
【産業上の利用可能性】
【００２５】
以上、本発明の好適な実施例について説明の目的で開示したが、当業者であれば、添付した請求の範囲に開示された本発明の精神と範囲から逸脱することなく、様々な変形、追加または置換を加え得ることを理解するであろう。
【符号の説明】
【００２６】
１００  フレキシブルディスプレイ装置
１１０  素子部
１１２  出力層
１１４  駆動層
１２０  ポリマー基板
１２２  格子状超弾性合金構造物
１２４  環状超弾性合金構造物
【図１】
2010537259.tif 000003
【図２】
2010537259.tif 000004
【図３】
2010537259.tif 000005
【図４Ａ】
2010537259.tif 000006
【図４Ｂ】
2010537259.tif 000007
【図４Ｃ】
2010537259.tif 000008
【図５】
2010537259.tif 000009
【図６】
2010537259.tif 000010
【国際調査報告】
2010537259.tif 000011
2010537259.tif 000012